(57)【要約】【課題】導尿管を通過する尿の血尿の状態を精度良く判定できる管理装置及び計測装置を提供する。【解決手段】管理システム１は、尿を貯留する貯留部１０２と、貯留部１０２に尿を導入する導尿管１０４と、を有する尿バッグ１００に貯留される尿に係る情報を取得する計測装置３と、計測装置３と通信可能な管理装置５と、を備え、計測装置３は、一部が屈曲した導尿管１０４の当該屈曲した部分において尿に含まれる血液を検出する検出部３０と、検出部３０で検出された検出データを管理装置５に送信する送信部３２と、を有し、管理装置５は、計測装置３から送信された検出データを受信する受信部４０と、受信部において受信された検出データに基づいて尿における血尿の状態を算出する算出部４４と、を有する。【選択図】図１
2018155757.tif 000002
【特許請求の範囲】
【請求項１】
尿を貯留する貯留部と、前記貯留部に尿を導入する導尿管と、を有する尿バッグに貯留される尿に係る情報を取得する計測装置と、前記計測装置と通信可能である管理装置と、を備える、管理システムであって、
前記計測装置は、
一部が屈曲した前記導尿管の当該屈曲した部分において尿に含まれる血液を検出する検出部と、
前記検出部で検出された検出データを前記管理装置に送信する送信部と、を有し、
前記管理装置は、
前記計測装置から送信された前記検出データを受信する受信部と、
前記受信部において受信された前記検出データに基づいて尿における血尿の状態を算出する算出部と、を有する、管理システム。
【請求項２】
前記計測装置は、前記導尿管を屈曲させた状態で前記導尿管を保持する保持部を有する、請求項１に記載の管理システム。
【請求項３】
前記保持部は、前記導尿管の上流側よりも下流側が低くなるように、前記導尿管を保持する、請求項２に記載の管理システム。
【請求項４】
前記検出部は、前記導尿管の屈曲部よりも前記上流側の位置で前記血液を検出する、請求項３に記載の管理システム。
【請求項５】
前記保持部は、前記導尿管の一部を下方に凸状に屈曲させた状態で前記導尿管を保持する、請求項２〜４のいずれか一項に記載の管理システム。
【請求項６】
前記計測装置は、
前記尿バッグの前記貯留部が取り付けられる計量ユニットと、
前記計量ユニットが設けられる本体ユニットと、を有し、
前記本体ユニットは、前記導尿管を保持すると共に、前記導尿管の延在方向における移動を規制する第１規制部を有し、
前記計量ユニットは、前記第１規制部よりも前記導尿管の下流側の位置において前記導尿管を保持すると共に、前記導尿管の延在方向における移動を規制する第２規制部を有し、
前記保持部は、前記本体ユニットにおいて、前記第１規制部と前記第２規制部との間に設けられる、請求項２〜５のいずれか一項に記載の管理システム。
【請求項７】
前記検出部は、
光を照射する投光部と、
前記投光部から照射された前記光を受光する受光部と、を有する、請求項１〜６のいずれか一項に記載の管理システム。
【請求項８】
前記管理装置は、前記受信部において受信した前記検出データを記憶する記憶部を有する、請求項１〜７のいずれか一項に記載の管理システム。
【請求項９】
前記管理装置は、
前記算出部により算出された血尿の状態が所定の閾値を超えた場合に、報知信号を生成する制御部と、
前記制御部により生成された前記報知信号に基づく表示を行う表示部と、を有する、請求項１〜８のいずれか一項に記載の管理システム。
【請求項１０】
前記管理装置と通信可能である端末を備え、
前記管理装置は、前記制御部で生成された前記報知信号を前記端末に送信する送信部を有する、請求項９に記載の管理システム。
【請求項１１】
前記計測装置は、前記尿バッグに貯留される尿を計量する計量部を有し、
前記計測装置の前記送信部は、前記計量部で計量された尿の計量データを前記管理装置に送信する、請求項１〜１０のいずれか一項に記載の管理システム。
【請求項１２】
尿を貯留する貯留部と、前記貯留部に尿を導入する導尿管と、を有する尿バッグに貯留される尿に係る情報を取得する計測装置であって、
一部が屈曲した前記導尿管の当該屈曲した部分において尿に含まれる血液を検出する検出部と、
前記検出部で検出された検出データを送信する送信部と、を備える、計測装置。
【請求項１３】
前記導尿管を屈曲させた状態で前記導尿管を保持する保持部を備える、請求項１２に記載の計測装置。
【請求項１４】
前記保持部は、前記導尿管の上流側よりも下流側が低くなるように、前記導尿管を保持する、請求項１３に記載の計測装置。
【請求項１５】
前記検出部は、前記導尿管の屈曲部よりも前記上流側の位置で前記血液を検出する、請求項１４に記載の計測装置。
【請求項１６】
前記保持部は、前記導尿管の一部を下方に凸状に屈曲させた状態で前記導尿管を保持する、請求項１３〜１５のいずれか一項に記載の計測装置。
【請求項１７】
前記尿バッグの前記貯留部が取り付けられる計量ユニットと、
前記計量ユニットが設けられる本体ユニットと、を備え、
前記本体ユニットは、前記導尿管を保持すると共に、前記導尿管の延在方向における移動を規制する第１規制部を有し、
前記計量ユニットは、前記第１規制部よりも前記導尿管の下流側の位置において前記導尿管を保持すると共に、前記導尿管の延在方向における移動を規制する第２規制部を有し、
前記保持部は、前記本体ユニットにおいて、前記第１規制部と前記第２規制部との間に設けられる、請求項１３〜１６のいずれか一項に記載の計測装置。
【請求項１８】
前記尿バッグに貯留される尿を計量する計量部を備え、
前記送信部は、前記計量部で計量された尿の計量データを送信する、請求項１２〜１７のいずれか一項に記載の計測装置。
【請求項１９】
前記検出部は、
光を照射する投光部と、
前記投光部から照射された前記光を受光する受光部と、を有する、請求項１２〜１８のいずれか一項に記載の計測装置。
【請求項２０】
前記検出部で検出された前記検出データを記憶する記憶部を備え、
前記送信部は、前記記憶部に記憶されている前記検出データを送信する、請求項１２〜１９のいずれか一項に記載の計測装置。
【発明の詳細な説明】
【技術分野】
【０００１】
本発明は、管理システム及び計測装置に関する。
【背景技術】
【０００２】
病院等では、全身麻酔による手術後等、移動することが困難な患者に対して、尿バッグを用いる。尿バッグは、患者から排出された尿を貯留する。尿バッグは、尿を貯留する貯留部と、貯留部に尿を導入する導尿管と、を有している（例えば、特許文献１参照）。
【先行技術文献】
【特許文献】
【０００３】
【特許文献１】実開平０６−００３３１４号公報
【発明の概要】
【発明が解決しようとする課題】
【０００４】
手術等の後には、術後の経過を確認するために、尿の血尿の状態を確認する作業が行われることがある。血尿の状態は、貯留部に貯留された尿、及び／又は、排出された直後の尿において確認され得る。排出された直後の尿の血尿の状態を確認する場合、導尿管を通過する尿で血尿の状態を判定する必要がある。しかしながら、導尿管を通過する尿と血尿スケールとを見比べて血尿の状態を判定することは容易ではなく、判定精度が低下し得る。
【０００５】
本発明の一側面は、導尿管を通過する尿の血尿の状態を精度良く判定できる管理装置及び計測装置を提供することを目的とする。
【課題を解決するための手段】
【０００６】
本発明の一側面に係る管理システムは、尿を貯留する貯留部と、貯留部に尿を導入する導尿管と、を有する尿バッグに貯留される尿に係る情報を取得する計測装置と、計測装置と通信可能である管理装置と、を備える、管理システムであって、計測装置は、一部が屈曲した導尿管の当該屈曲した部分において尿に含まれる血液を検出する検出部と、検出部で検出された検出データを管理装置に送信する送信部と、を有し、管理装置は、計測装置から送信された検出データを受信する受信部と、受信部において受信された検出データに基づいて尿における血尿の状態を算出する算出部と、を有する。
【０００７】
本発明の一側面に係る管理システムでは、計測装置は、導尿管の屈曲した部分において尿に含まれる血液を検出する。導尿管の屈曲した部分には、尿が溜まる。したがって、計測装置では、導尿管を通過する尿に含まれる血液を確実に検出できる。管理装置は、計測装置から送信された検出データを受信し、検出データに基づいて血尿の状態を算出する。このように、管理システムでは、導尿管を通過する尿の血液を確実に検出できるため、導尿管を通過する尿の血尿の状態を精度良く判定できる。
【０００８】
一実施形態においては、計測装置は、導尿管を屈曲させた状態で導尿管を保持する保持部を有していてもよい。この構成では、導尿管の屈曲部分を確実に保持できる。或いは、導尿管に屈曲部分を形成することができる。これにより、導尿管の屈曲した部分に尿を溜めることができるため、導尿管を通過する尿に含まれる血液を確実に検出できる。
【０００９】
一実施形態においては、保持部は、導尿管の上流側よりも下流側が低くなるように、導尿管を保持してもよい。この構成では、導尿管において尿を貯留させつつ、尿を貯留部に導入することができる。
【００１０】
一実施形態においては、検出部は、導尿管の屈曲部よりも上流側の位置で血液を検出してもよい。この構成では、導尿管において尿が確実に貯留された位置で、血液を検出することができる。
【００１１】
一実施形態においては、保持部は、導尿管の一部を下方に凸状に屈曲させた状態で導尿管を保持してもよい。この構成では、導尿管の屈曲した部分に尿を確実に溜めることができる。
【００１２】
一実施形態においては、計測装置は、尿バッグの貯留部が取り付けられる計量ユニットと、計量ユニットが設けられる本体ユニットと、を有し、本体ユニットは、導尿管を保持すると共に、導尿管の延在方向における移動を規制する第１規制部を有し、計量ユニットは、第１規制部よりも導尿管の下流側の位置において導尿管を保持すると共に、導尿管の延在方向における移動を規制する第２規制部を有し、保持部は、本体ユニットにおいて、第１規制部と第２規制部との間に設けられていてもよい。この構成では、保持部で保持される導尿管が引っ張られたりすることを抑制できる。したがって、導尿管の屈曲した部分に尿を適切に溜めることができる。その結果、導尿管を通過する尿に含まれる血液を確実に検出できる。
【００１３】
一実施形態においては、検出部は、光を照射する投光部と、投光部から照射された光を受光する受光部と、を有していてもよい。この構成では、受光部において受光された光の強度に基づいて、血尿の状態の判定を精度良く行うことができる。
【００１４】
一実施形態においては、管理装置は、受信部において受信した検出データを記憶する記憶部を有していてもよい。この構成では、患者の検出データをログとして記憶できる。そのため、尿の血尿の状態の時間遷移等を確認することができる。また、スタッフが検出データを手書きで記載する必要がないため、スタッフによる記載ミス等の人為的なミスを回避できる。
【００１５】
一実施形態においては、管理装置は、算出部により算出された血尿の状態が所定の閾値を超えた場合に、報知信号を生成する制御部と、制御部により生成された報知信号に基づく表示を行う表示部と、を有していてもよい。この構成では、血尿の状態が所定の閾値を超えていることをスタッフに報知できる。
【００１６】
一実施形態においては、管理装置と通信可能である端末を備え、管理装置は、制御部で生成された報知信号を端末に送信する送信部を有していてもよい。この構成では、管理装置が設置された場所にスタッフがいない場合であっても、スタッフに対して、血尿の状態について緊急性が生じていることを報知できる。
【００１７】
一実施形態においては、計測装置は、尿バッグに貯留される尿を計量する計量部を有し、計測装置の送信部は、計量部で計量された尿の計量データを管理装置に送信してもよい。この構成では、計測装置の計量部によって尿を計量し、計量データを管理装置に送信する。管理装置は、計測装置から送信された計量データを受信し、計量データに係る情報を表示させることが可能となる。このように、管理システムでは、スタッフが病室を訪れなくても、管理装置において尿の量等を確認すること可能となる。したがって、スタッフの目視による確認作業を行う必要がない。そのため、管理システムでは、スタッフの作業負担の軽減を図れる。
【００１８】
本発明の一側面に係る計測装置は、尿を貯留する貯留部と、貯留部に尿を導入する導尿管と、を有する尿バッグに貯留される尿に係る情報を取得する計測装置であって、一部が屈曲した導尿管の当該屈曲した部分において尿に含まれる血液を検出する検出部と、検出部で検出された検出データを送信する送信部と、を備える。
【００１９】
本発明の一側面に係る計測装置では、導尿管の屈曲した部分において尿に含まれる血液を検出する。導尿管の屈曲した部分には、尿が溜まる。したがって、計測装置では、導尿管を通過する尿に含まれる血液を確実に検出できる。そのため、検出データを管理装置等で受信することにより、検出データに基づいて血尿の状態を算出できる。このように、導尿管を通過する尿の血液を確実に検出できるため、管理装置等において導尿管を通過する尿の血尿の状態を精度良く判定できる。
【００２０】
一実施形態においては、導尿管を屈曲させた状態で導尿管を保持する保持部を備えていてもよい。この構成では、導尿管の屈曲部分を確実に保持できる。或いは、導尿管に屈曲部分を形成することができる。これにより、導尿管の屈曲した部分に尿を溜めることができるため、導尿管を通過する尿に含まれる血液を確実に検出できる。
【００２１】
一実施形態においては、保持部は、導尿管の上流側よりも下流側が低くなるように、導尿管を保持してもよい。この構成では、導尿管において尿を貯留させつつ、尿を貯留部に導入することができる。
【００２２】
一実施形態においては、検出部は、導尿管の屈曲部よりも上流側の位置で血液を検出してもよい。この構成では、導尿管において尿が確実に貯留された位置で、血液を検出することができる。
【００２３】
一実施形態においては、保持部は、導尿管の一部を下方に凸状に屈曲させた状態で導尿管を保持してもよい。この構成では、導尿管の屈曲した部分に尿を確実に溜めることができる。
【００２４】
一実施形態においては、尿バッグの貯留部が取り付けられる計量ユニットと、計量ユニットが設けられる本体ユニットと、を有し、本体ユニットは、導尿管を保持すると共に、導尿管の延在方向における移動を規制する第１規制部を有し、計量ユニットは、第１規制部よりも導尿管の下流側の位置において導尿管を保持すると共に、導尿管の延在方向における移動を規制する第２規制部を有し、保持部は、本体ユニットにおいて、第１規制部と第２規制部との間に設けられていてもよい。この構成では、保持部で保持される導尿管が引っ張られたりすることを抑制できる。したがって、導尿管の屈曲した部分に尿を適切に溜めることができる。その結果、導尿管を通過する尿に含まれる血液を確実に検出できる。
【００２５】
一実施形態においては、尿バッグに貯留される尿を計量する計量部を有し、送信部は、計量部で計量された尿の計量データを送信してもよい。この構成では、計測装置の計量部によって尿を計量し、計量データを送信する。これにより、計量データを受信した管理装置等においては、計量データに係る情報を表示させることが可能となる。このように、スタッフが病室を訪れなくても、管理装置等において尿の量等を確認すること可能となる。したがって、スタッフの目視による確認作業を行う必要がない。そのため、スタッフの作業負担の軽減を図れる。
【００２６】
一実施形態においては、検出部は、光を照射する投光部と、投光部から照射された光を受光する受光部と、を有していてもよい。この構成では、受光部において受光された光の強度に基づいて、血尿の状態の判定を精度良く行うことができる。
【００２７】
一実施形態においては、検出部で検出された検出データを記憶する記憶部を備え、送信部は、記憶部に記憶されている検出データを送信してもよい。この構成では、患者の検出データをログとして記憶できる。そのため、管理装置等において、尿の血尿の状態の時間遷移等を確認することが可能となる。
【発明の効果】
【００２８】
本発明の一側面によれば、導尿管を通過する尿の血尿の状態を精度良く判定できる。
【図面の簡単な説明】
【００２９】
【図１】図１は、一実施形態に係る管理システムを示す図である。
【図２】図２は、計測装置を前方側から示す斜視図である。
【図３】図３は、計測装置を後方側から示す斜視図である。
【図４】図４は、保持部の構成を示す図である。
【図５】図５は、計測装置の構成を示すブロック図である。
【図６】図６は、センサの構造を示す図である。
【図７】図７は、管理装置の構成を示すブロック図である。
【図８】図８は、管理装置に表示される画面の一例を示す図である。
【図９】図９は、管理装置に表示される画面の一例を示す図である。
【図１０】図１０は、管理装置に表示される画面の一例を示す図である。
【図１１】図１１は、携帯端末の構成を示すブロック図である。
【図１２】図１２は、変形例に係るセンサの構造を示す図である。
【図１３】図１３は、他の実施形態に係る計測装置を示す斜視図である。
【図１４】図１４は、図１３に示す計測装置を示す斜視図である。
【図１５】図１５は、図１３に示す計測装置の構成を示すブロック図である。
【図１６】図１６は、図１３に示す計測装置のセンサの構造を示す図である。
【発明を実施するための形態】
【００３０】
以下、添付図面を参照して、本発明の好適な実施形態について詳細に説明する。なお、図面の説明において同一又は相当要素には同一符号を付し、重複する説明は省略する。
【００３１】
図１に示されるように、管理システム１は、計測装置３と、管理装置５と、携帯端末７と、を備えている。本実施形態では、計測装置３及び携帯端末７は、複数設けられている。計測装置３、管理装置５及び携帯端末７は、無線ＬＡＮ（Local  Area  Network）等のネットワークＮを介して互いに通信可能とされている。管理システム１は、例えば、病院等において、尿バッグ１００（図２参照）に貯留される患者の尿を管理する。
【００３２】
計測装置３は、尿バッグ１００に貯留される尿に係る情報を取得する。図２に示されるように、尿バッグ１００は、尿を貯留する貯留部１０２と、貯留部１０２に尿を導入する導尿管１０４と、貯留部１０２に貯留されている尿を排出する排尿管１０６と、を有する。排尿管１０６には、弁１０８が設けられている。弁１０８を操作することにより、貯留部１０２から排尿管１０６を介して尿を排出できる。尿バッグ１００は、市販されているものを用いることができる。
【００３３】
図２及び図３に示されるように、計測装置３は、本体ユニット１０と、計量ユニット１２と、を備えている。以下の説明においては、図２及び図３に示される「前」「後」「左」「右」で方向を規定する。
【００３４】
本体ユニット１０は、例えば、プラスチック等で形成される筐体である。本体ユニット１０は、表示部１４と、操作部１６と、取付け部１８と、第１規制部２０と、保持部２１と、を有している。また、本体ユニット１０には、計測装置３の電源のＯＮ／ＯＦＦを操作する電源ボタンＢ、及び、計測装置３に電力を供給する電源コード（図示省略）が接続される接続部Ｃが設けられている。
【００３５】
表示部１４は、テキスト、画像等を表示可能なＬＣＤ（Liquid  Cristal  Display）等のディスプレイである。表示部１４は、操作部１６の操作により、各種設定画面、尿の計量値、血尿の状態等が表示可能である。操作部１６は、各種設定、表示部１４に表示させるデータの切り換え等の操作が可能である。
【００３６】
取付け部１８は、計測装置３をベッド等に取り付けるための器具である。取付け部１８は、本体ユニット１０の後面（背面）１０ａに配置されている。取付け部１８は、Ｕ字状のフックである。取付け部１８は、ベッドのフレーム等に引っ掛けられる。取付け部１８は、ねじ１８ａを操作することにより、上下方向において移動可能である。これにより、本体ユニット１０（計測装置３）の高さ位置の調整が可能である。
【００３７】
第１規制部２０は、尿バッグ１００の導尿管１０４を保持する。第１規制部２０は、例えば、本体ユニット１０に導入される導尿管１０４の最上流の箇所を保持する。第１規制部２０は、導尿管１０４の延在方向における移動を規制する。第１規制部２０は、導尿管１０４が配置される溝２０ａと、溝２０ａを覆う蓋２０ｂと、を有する。蓋２０ｂは、揺動自在に設けられており、溝２０ａに対して開閉可能である。蓋２０ｂは、図示しない係止構造により、閉じた位置で固定される。
【００３８】
保持部２１は、尿バッグ１００の導尿管１０４を保持する。保持部２１は、導尿管１０４の一部を下方に凸状に屈曲させた状態で導尿管１０４を保持する。図２に示されるように、保持部２１は、第１保持部材２１ａと、第２保持部材２１ｂと、第３保持部材２１ｃと、を有する。本実施形態では、第１保持部材２１ａ、第２保持部材２１ｂ及び第３保持部材２１ｃは、円柱部材である。第１保持部材２１ａと、第２保持部材２１ｂと、第３保持部材２１ｃは、本体ユニット１０の前面１０ｂから前方に突出して設けられている。
【００３９】
保持部２１は、第１規制部２０と後述する第２規制部２２との間に設けられる。図４に示されるように、保持部２１では、本体ユニット１０の前方側から見て、第１保持部材２１ａの中心、第２保持部材２１ｂの中心及び第３保持部材２１ｃの中心を結ぶ直線が三角形状を成すように配置される。詳細には、第２保持部材２１ｂは、第１保持部材２１ａ及び第３保持部材２１ｃの間で、且つ、第１保持部材２１ａ及び第３保持部材２１ｃよりも上方に配置される。導尿管１０４は、第１保持部材２１ａの上部、第２保持部材２１ｂの下部及び第３保持部材２１ｃの上部に接触するようにセットされる。これにより、導尿管１０４は、その一部が下方に凸状に屈曲する。
【００４０】
本実施形態では、保持部２１は、導尿管１０４の上流側よりも下流側が低くなるように、導尿管１０４を保持する。具体的には、図４に示されるように、第１保持部材２１ａは、第３保持部材２１ｃよりも高い位置（上方の位置）に配置される。これにより、保持部２１に保持された導尿管１０４は、上流側よりも下流側が低くなる。
【００４１】
計量ユニット１２は、本体ユニット１０に設けられている。計量ユニット１２は、本体ユニット１０に対して、上下方向に移動可能に設けられている。計量ユニット１２は、第２規制部２２と、係止部２４と、を有している。第２規制部２２は、尿バッグ１００の導尿管１０４を保持する。第２規制部２２は、本体ユニット１０の第１規制部２０よりも導尿管１０４の下流側の位置を保持する。第２規制部２２は、導尿管１０４の延在方向における移動を規制する。第２規制部２２は、導尿管１０４が配置される溝２２ａと、溝２２ａを覆う蓋２２ｂと、を有する。蓋２２ｂは、揺動自在に設けられており、溝２２ａに対して開閉可能である。蓋２２ｂは、図示しない係止構造により、閉じた位置で固定される。
【００４２】
係止部２４は、尿バッグ１００の貯留部１０２を計量ユニット１２に取り付ける。係止部２４は、計量ユニット１２の前面１２ａから前方に突出する。係止部２４は、尿バッグ１００に設けられた取付孔１１０に挿通される。尿バッグ１００の貯留部１０２は、係止部２４に吊るされた状態で保持される。
【００４３】
また、図５に示されるように、計測装置３は、ロードセル（計量部）２６と、コンバータ（計量部）２８と、センサ（検出部）３０と、送信部３２と、を備えている。
【００４４】
ロードセル２６は、本体ユニット１０及び計量ユニット１２に接続されている。ロードセル２６は、計量ユニット１２に取り付けられた尿バッグ１００の貯留部１０２の重量を検知する。ロードセル２６は、尿バッグ１００の貯留部１０２の重量を検知し、当該重量に関する計量データをコンバータ２８へ出力する。ロードセル２６が出力する計量データは、計量する物品の重量に応じた電圧等のアナログ信号である。ロードセル２６は、半導体圧力センサ等の歪みを計る素子を含んで構成されている。ロードセル２６としては、特に限定されず、公知の種々のロードセルを採用できる。
【００４５】
コンバータ２８は、例えば、本体ユニット１０に配置されている。コンバータ２８は、ロードセル２６から出力されたアナログ信号の計量データを、デジタル信号の計量データへ変換する。また、コンバータ２８は、センサ３０の後述する受光部３０ｂから出力されたアナログ信号の光量データを、デジタル信号の光量データへ変換する。コンバータ２８は、計量データ及び光量データを送信部３２に出力する。
【００４６】
センサ３０は、尿の血尿の状態を検出する。図６に示されるように、センサ３０は、２つの投光部３０ａと、受光部３０ｂと、を有する。センサ３０は、投光部３０ａ及び受光部３０ｂの駆動回路等を更に備えていてもよい。
【００４７】
本実施形態では、投光部３０ａは、光を照射する。光は、例えば、可視光、赤外線を含む光、紫外線を含む光等である。本実施形態では、投光部３０ａは、可視光を照射する。投光部３０ａは、例えば、ＬＥＤ（Light  Emitting  Diode）である。受光部３０ｂは、例えば、ＰＤ（Photo  Diode）である。受光部３０ｂは、投光部３０ａから照射された光を受光する。投光部３０ａ及び受光部３０ｂは、本体ユニット１０に配置されている。具体的には、センサ３０は、導尿管１０４の屈曲した部分に対応する位置に配置されている。
【００４８】
図７に示されるように、２つの投光部３０ａ及び受光部３０ｂは、導尿管１０４の一方側に配置される。具体的には、２つの投光部３０ａの間に受光部３０ｂが配置される。このセンサ３０では、２つの投光部３０ａから照射された光が尿で反射され、受光部３０ｂで受光される。受光部３０ｂは、受光した光量に関する光量データ（検出データ）をコンバータ２８へ出力する。受光部３０ｂが出力する光量データは、受光した光量に応じた電圧値を示すアナログ信号である。
【００４９】
送信部３２は、重量データ及び血尿データを無線送信する無線モジュールである。送信部３２は、コンバータ２８から出力された計量データ及び光量データを、計測装置３の固有の識別コードと関連付けて無線送信する。送信部３２の通信方式としては、公知の種々の無線通信方式を利用できる。送信部３２が計量データ及び光量データのそれぞれを管理装置５に送信するタイミングは、コンバータ２８から計量データ及び血尿データを受け取ったタイミングであってもよいし、所定時間毎であってもよい。
【００５０】
管理装置５は、複数の計測装置３を統括的に管理する上位装置として機能する。図１に示されるように、管理装置５は、複数の計測装置３及び複数の携帯端末７に対して、無線ＬＡＮ（Local  Area  Network）等のネットワークＮを介して通信可能とされている。管理装置５は、各計測装置３で計測されたデータを、統括的に管理する。管理装置５は、例えば、ナースステーションに設置された専用コンピュータで構成されてもよいが、市販のパーソナルコンピュータにソフトウェアをインストールして用いてもよい。なお、管理装置５は、計測装置３に対して直接通信可能であってもよい。
【００５１】
図８に示されるように、管理装置５は、受信部４０と、記憶部４２と、制御部（算出部）４４と、表示部４６と、送信部４８と、を有している。受信部４０は、計測装置３から送信されたデータ及びＩＤコードを受信する。受信部４０は、受信したデータ及びＩＤコードを記憶部４２に出力する。
【００５２】
記憶部４２は、ＲＯＭ（Read  Only  Memory）、ＲＡＭ(Random  Access  Memory)及びＨＤＤ(Hard  Disc  Drive)等で構成されている。記憶部４２は、複数の計測装置３のデータ（計量データ、光量データ）それぞれを、識別コードに関連付けて記憶する。また、記憶部４２は、制御部４４により算出された重量データ及び血尿データを、識別コードに関連付けて記憶する。
【００５３】
制御部４４は、ＣＰＵ（Central  Processing  Unit）等で構成されている。制御部４４は、管理装置５の動作を統括的に制御する。
【００５４】
制御部４４は、尿バッグ１００の貯留部１０２に貯留される尿の重量を算出する。制御部４４は、記憶部４２に記憶されている計量データから重量を算出し、当該重量から風袋重量（計測装置３の計量ユニット１２及び尿バッグ１００等を含む重量）を差し引くことにより、尿の重量を算出する。制御部４４は、算出した尿の重量を示す重量データを記憶部４２に出力する。
【００５５】
制御部４４は、記憶部４２に記憶されている光量データに基づいて、尿の血尿の状態を判定する。尿に血液が含まれる場合、血液（血球）において光が吸収されるため、受光部３０ｂにおける受光量が少なくなる。すなわち、尿に含まれる血液の量によって、尿の色の濃度が変化するため、受光部３０ｂにおける受光量が変化する。電圧値が高い場合、尿に含まれる血液の量が少なく、電圧値が低い場合、尿に含まれる血液の量が多い。記憶部４２は、光量データが示す電圧値と、血尿の状態（レベル）とが対応付けられたテーブルを有する。制御部４４は、電圧値に基づいて当該テーブルを参照し、血尿の状態を判定する。
【００５６】
本実施形態では、制御部４４は、血尿の状態を６段階で判定する。具体的には、制御部４４は、例えば、電圧値が第１範囲内である場合にはレベル０（Ｌｖ．０）、電圧値が第２範囲内である場合にはレベル１（Ｌｖ．１）、電圧値が第３範囲内である場合にはレベル２（Ｌｖ．２）、電圧値が第４範囲内である場合にはレベル３（Ｌｖ．３）、電圧値が第５範囲内である場合にはレベル４（Ｌｖ．４）、電圧値が第６範囲内である場合にはレベル５（Ｌｖ．５）であると判定する。各レベルは、例えば、赤血球量の含有割合によって設定される血尿スケールに基づいて設定することができる。制御部４４は、血尿の状態の判定を常時行ってもよいし、所定の時間毎に行ってもよい。制御部４４は、血尿の状態を示す血尿データを記憶部４２に出力する。
【００５７】
制御部４４は、例えばキーボード等の操作部（図示省略）の操作に応じて、表示部４６の表示を制御する。表示部４６は、コンピュータのディスプレイである。制御部４４は、例えば、患者の尿の重量及び血尿の状態の表示を要求する操作を受け付けた場合には、記憶部４２から重量データ及び血尿データを取得し、表示部４６に表示させる。
【００５８】
図９に示されるように、表示部４６には、例えば、患者毎に、累尿量、血尿の状態、及び、判定結果が表示されてもよい。累尿量としては、現在の尿の量（例えば２５ｍｌ）と、尿バッグ１００の貯留部１０２に貯留され得る量（例えば２５００ｍｌ）とが表示される。血尿の状態としては、現在の血尿の状態のレベル（例えばＬｖ．１）が表示される。判定結果は、累尿量及び血尿の状態の総合的な判定結果を示している。判定は、制御部４４が行う。例えば、累尿量及び血尿の状態の両方が所定の閾値に達していない場合には「○（マル）」、累尿量及び血尿の状態の少なくとも一方が所定の閾値に近づいている場合には「△（サンカク）」、累尿量及び血尿の状態の少なくとも一方が閾値を超えている場合には「×（バツ）」とする。
【００５９】
また、図１０に示されるように、表示部４６には、例えば、複数の患者のデータが表示されてもよい。各患者は、タブで表示される。各患者のデータは、タブを選択することにより表示可能である。各患者のデータとしては、累尿量、血尿の状態、及び、貯留部１０２の状態を示す図が表示されてもよい。累尿量としては、現在の尿の量（例えば２５ｍｌ）と、尿バッグ１００の貯留部１０２に貯留され得る量（例えば２５００ｍｌ）とが表示される。血尿の状態としては、現在の血尿の状態のレベル（例えばＬｖ．１）が表示される。貯留部１０２の状態を示す図は、貯留部１０２に貯留されている尿の量を視覚的に認識できる図である。累尿量に応じて、図における尿の高さ位置が変化する。
【００６０】
また、図１１に示されるように、表示部４６には、各患者のデータが一覧で表示されてもよい。各患者のデータとしては、例えば、累尿量及び血尿の状態が表示される。累尿量としては、現在の尿の量（例えば２５ｍｌ）と、尿バッグ１００の貯留部１０２に貯留され得る量（例えば２５００ｍｌ）とが表示される。血尿の状態としては、現在の血尿の状態のレベル（例えばＬｖ．１）が表示される。表示部４６において、各患者のデータは、累尿量及び血尿の状態の状態に基づいて、表示の色が区別されてもよい。また、表示部４６には、各患者の排尿量及び血尿の状態の時間遷移を示すグラフが表示されてもよい。
【００６１】
制御部４４は、重量データにおいて、尿の重量が所定の閾値を超えた場合には、報知信号を生成する。また、制御部４４は、血尿データにおいて、血尿の状態が所定のレベルを超えた場合には、報知信号を生成する。尿の重量の閾値は、尿バッグ１００の貯留部１０２における貯留可能量に応じて設定可能である。血尿の状態の閾値は、患者の状態等に応じて任意に設定可能である。制御部４４は、患者を特定する情報、尿の累尿量及び／又は血尿の状態を示す情報を含む報知信号を任意の携帯端末７に送信する。また、制御部４４は、報知信号に基づく画像を表示部４６に表示させてもよい。このとき、ブザー等の音を出してもよい。
【００６２】
送信部４８は、報知信号を無線送信する無線モジュールである。送信部４８は、制御部４４で生成された報知信号を携帯端末７に送信する。
【００６３】
携帯端末７は、管理装置５と通信可能な端末である。携帯端末７は、ＣＰＵ、ＲＯＭ、ＲＡＭ及びＨＤＤ等で構成されている。図１１に示されるように、携帯端末７は、受信部５０と、表示部５２と、を有している。
【００６４】
受信部５０は、管理装置５から送信された報知信号を受信する。表示部５２は、受信部５０において受信された報知信号に含まれる情報を表示する。表示部５２には、患者の氏名、当該患者の累尿量及び／又は血尿の状態を示す情報が表示される。なお、表示部５２で表示する際、ブザー等の音を出してもよい。
【００６５】
以上説明したように、本実施形態に係る管理システム１では、計測装置３は、導尿管１０４の一部を下方に凸状に屈曲させた状態で導尿管１０４を保持する保持部２１を有する。これにより、導尿管１０４の屈曲した部分に尿が溜まる。計測装置３は、屈曲した部分において尿に含まれる血液を検出し、光量データを管理装置５に送信する。このように、計測装置３では、導尿管１０４を通過する尿に含まれる血液を確実に検出できる。管理装置５は、計測装置３から送信された光量データを受信し、光量データに基づいて血尿の状態を算出する。このように、管理システム１では、導尿管１０４を通過する尿の血液を確実に検出できるため、導尿管１０４を通過する尿の血尿の状態を精度良く判定できる。
【００６６】
例えば、放射線治療を行っている患者の尿には、放射性物質等が含まれている場合がある。試験紙によって血尿を判定する場合には、スタッフが尿と接触する可能性があり、スタッフが被爆するおそれがある。本実施形態に係る管理システム１では、尿の接触することなく、尿の血尿の状態を精度良く判定できる。そのため、管理システム１では、スタッフの安全性を確保できる。
【００６７】
本実施形態に係る管理システム１では、計測装置３の保持部２１は、導尿管１０４の上流側よりも下流側が低くなるように、導尿管１０４を保持する。この構成では、導尿管１０４において尿を貯留させつつ、尿を貯留部１０２に導入することができる。
【００６８】
本実施形態に係る管理システム１では、計測装置３は、尿バッグ１００の貯留部１０２が取り付けられる計量ユニット１２と、計量ユニット１２が設けられる本体ユニット１０と、を有する。本体ユニット１０は、導尿管１０４を保持すると共に、導尿管１０４の延在方向における移動を規制する第１規制部２０を有する。計量ユニット１２は、第１規制部２０よりも導尿管１０４の下流側の位置において導尿管１０４を保持すると共に、導尿管１０４の延在方向における移動を規制する第２規制部２２を有する。保持部２１は、本体ユニット１０において、第１規制部２０と第２規制部２２との間に設けられている。この構成では、保持部２１で保持される導尿管１０４が引っ張られたりすることを抑制できる。したがって、導尿管１０４の屈曲した部分に尿を適切に溜めることができる。その結果、導尿管１０４を通過する尿に含まれる血液を確実に検出できる。
【００６９】
本実施形態に係る管理システム１では、センサ３０は、光を照射する投光部３０ａと、投光部３０ａから照射された光を受光する受光部３０ｂと、を有する。この構成では、受光部３０ｂにおいて受光された光の強度に基づいて、血尿の状態の判定を精度良く行うことができる。
【００７０】
本実施形態に係る管理システム１では、管理装置５は、受信部４０において受信した光量データを記憶する記憶部４２を有している。この構成では、患者の光量データをログとして記憶できる。そのため、尿の血尿の状態の時間遷移等を確認することができる。また、スタッフが光量データを手書きで記載する必要がないため、スタッフによる記載ミス等の人為的なミスを回避できる。
【００７１】
本実施形態に係る管理システム１では、管理装置５の制御部４４は、血尿の状態が所定の閾値を超えた場合に、報知信号を生成する。表示部４６は、制御部４４により生成された報知信号に基づく表示を行う。この構成では、血尿の状態が所定の閾値を超えていることをスタッフに報知できる。
【００７２】
本実施形態に係る管理システム１では、管理装置５と通信可能に接続された携帯端末７を備える。管理装置５は、制御部４４で生成された報知信号に携帯端末７に送信する送信部４８を有する。この構成では、管理装置５が設置された場所にスタッフがいない場合であっても、スタッフに対して、血尿の状態について緊急性が生じていることを報知できる。
【００７３】
本実施形態に係る管理システム１では、計測装置３は、尿バッグ１００に貯留される尿を計量するロードセル２６する。計測装置３の送信部３２は、ロードセル２６で計量された尿の計量データを管理装置５に送信する。この構成では、計測装置３のロードセル２６によって尿を計量し、計量データを管理装置５に送信する。管理装置５は、計測装置３から送信された計量データを受信し、計量データに係る情報を表示部４６に表示させることができる。このように、管理システム１では、スタッフが病室を訪れなくても、管理装置５において尿の量等を確認すること可能となる。したがって、スタッフの目視による確認作業を行う必要がない。そのため、管理システム１では、スタッフの作業負担の軽減を図れる。
【００７４】
以上、本発明の実施形態について説明してきたが、本発明は必ずしも上述した実施形態に限定されるものではなく、その要旨を逸脱しない範囲で様々な変更が可能である。
【００７５】
上記実施形態では、計測装置３が計量データ及び光量データを管理装置５に送信し、管理装置５において重量データ及び血尿の状態を算出する形態を一例に説明した。しかし、計測装置３において重量データ及び血尿の状態を算出してもよい。この場合、計測装置は、重量データ及び血尿データを管理装置に送信する。この構成においては、計測装置は、制御部、記憶部等を有していればよい。
【００７６】
上記実施形態では、計量データ及び光量データを管理装置５に送信する形態を一例に説明した。しかし、計量データ及び光量データを携帯端末７に送信してもよい。この場合、携帯端末は、管理装置５と同様の機能を有していてもよい。
【００７７】
上記実施形態では、計測装置３と管理装置５とが別体であり、計測装置３と管理装置５とがネットワークＮを介して通信する形態を一例に説明した。しかし、計測装置と管理装置とは、一体に構成されていてもよい。すなわち、管理システムは、スタンドアローンで機能してもよい。この管理システムは、１つの装置の中に、計測装置として機能する部分と、管理装置として機能する部分と、を備える。管理システムでは、計測装置において尿に含まれる血液を検出し、計測装置から送信された検出データに係る情報を、管理装置の表示部で表示する。また、管理システムでは、計測装置において尿を計量し、計測装置から送信された計量データに係る情報を、管理装置の表示部で表示してもよい。なお、管理システムは、各種データを、他の記憶装置等に出力してもよい。
【００７８】
上記実施形態では、保持部２１が円柱状の第１保持部材２１ａ、第２保持部材２１ｂ及び第３保持部材２１ｃを有する形態を一例に説明した。しかし、保持部の構成はこれに限定されない。保持部は、例えば、溝であってもよい。この場合、溝は、導尿管１０４の一部を下方に凸状に屈曲させた状態で導尿管１０４を保持すればよい。
【００７９】
上記実施形態では、保持部２１が、導尿管１０４の一部を下方に凸状に屈曲させた状態で導尿管１０４を保持する、すなわち保持部２１によって導尿管１０４を屈曲させる形態を一例に説明した。しかし、導尿管に予め屈曲部分が設けられている尿バッグを用いることもできる。この場合、保持部は、導尿管を屈曲させた状態で導尿管を保持する。或いは、計測装置が保持部を備えていなくてもよい。
【００８０】
上記実施形態では、保持部２１が、導尿管１０４の一部を下方に凸状に屈曲させた状態で導尿管１０４を保持する形態を一例に説明した。しかし、保持部は、導尿管を下方に凸状である形状以外の形状に導尿管を屈曲させてもよい。
【００８１】
上記実施形態では、計測装置３のセンサ３０が、尿バッグ１００の導尿管１０４の部分を検出する形態を一例に説明した。しかし、排尿管１０６の尿も検出してもよい。
【００８２】
上記実施形態では、管理装置５の制御部４４が、血尿の状態のレベルを６段階で判定する形態を一例に説明した。しかし、血尿の状態のレベルは、６段階に限られない。
【００８３】
上記実施形態では、計測装置３及び管理装置５が無線ＬＡＮにより通信可能である形態を一例に説明した。しかし、計測装置３及び管理装置５は、有線で通信可能であってもよい。
【００８４】
上記実施形態では、計測装置３がロードセル２６を備える形態を一例に説明した。しかし、計測装置３は、ロードセルを備えていなくてもよい。すなわち、管理システム１においては、尿の重量を管理しなくてもよい。
【００８５】
上記実施形態では、血液の色により血尿の状態を判定する形態を一例に説明した。しかし、血尿の状態は、他の方法によって検出してもよい。
【００８６】
上記実施形態では、管理装置５から携帯端末７に報知信号を送信する形態を一例に説明した。しかし、携帯端末７から管理装置５にアスセスすることも可能である。
【００８７】
上記実施形態では、図７に示されるように、２つの投光部３０ａ及び受光部３０ｂが導尿管１０４の一方側に配置される反射方式である形態を一例に説明した。しかし、センサの構造はこれに限定されない。図１２に示されるように、センサ３０Ａは、透過方式であってもよい。センサ３０Ａでは、投光部３０Ａａと、受光部３０Ａｂと、を備えている。投光部３０Ａａと受光部３０Ａｂとは、導尿管１０４を挟む位置に対向して配置されている。投光部３０Ａａ及び受光部３０Ａｂは、導尿管１０４との間に隙間が設けられないように配置されることが好ましい。投光部３０Ａａから照射された光は、導尿管１０４を透過して、受光部３０Ａｂで受光される。なお、投光部３０Ａａと受光部３０Ａｂとは、導尿管１０４を上下方向において挟む位置に対向して配置される場合には、導尿管１０４の屈曲部（屈曲した部分の最下位置（屈曲点））よりも上流側の位置において、血液を検出することが好ましい。この構成では、導尿管１０４において尿が確実に貯留された（満たされた）位置で、血液を検出することができる。
【００８８】
図１３に示されるように、他の実施形態に係る計測装置３Ａは、尿バッグ１００Ａに貯留される尿に係る情報を取得する。尿バッグ１００Ａは、尿を貯留する貯留部１０２Ａと、貯留部１０２に尿を導入する導尿管１０４Ａと、を有する。
【００８９】
計測装置３Ａは、本体ユニット１０Ａを備えている。本体ユニット１０Ａは、例えば、プラスチック等で形成される筐体である。図１３及び図１４に示されるように、本体ユニット１０Ａは、表示部１４Ａと、操作部１６Ａと、取付け部１８Ａと、保持部２１Ａと、係止部２３と、固定部２５と、を有している。本体ユニット１０Ａには、計測装置３Ａに電力を供給する電源コードが接続される接続部（図示省略）が設けられている。
【００９０】
保持部２１Ａは、尿バッグ１００Ａの導尿管１０４Ａを保持する。保持部２１Ａは、導尿管１０４Ａの一部を下方に凸状に屈曲させた状態で導尿管１０４Ａを保持する。保持部２１Ａは、本体ユニット１０Ａに設けられた溝（凹部）である。保持部２１Ａは、本体ユニット１０Ａの幅方向において、下方に凸状に湾曲して延在している。保持部２１Ａは、導尿管１０４の上流側と下流側の高さ位置が同じになるように導尿管１０４Ａを保持してもよいし、導尿管１０４の上流側よりも下流側が低くなるように導尿管１０４Ａを保持してもよい。
【００９１】
導尿管１０４Ａは、固定部２５によって、保持部２１Ａに保持（固定）される。固定部２５は、保持部２１Ａの中央部に配置されている。固定部２５は、本体ユニット１０Ａにおいて、揺動可能に設けられている。図１４に示されるように、固定部２５を開くことによって、保持部２１Ａに対して導尿管１０４Ａを取り付けることが可能となると共に、保持部２１Ａから導尿管１０４Ａを取り外すことが可能となる。図１３に示されるように、固定部２５を閉じることによって、導尿管１０４Ａを保持部２１Ａに対して固定できる。固定部２５は、保持部２１Ａにおける導尿管１０４Ａの移動を規制する。
【００９２】
係止部２３は、尿バッグ１００Ａの貯留部１０２Ａを本体ユニット１０Ａに取り付ける。係止部２３は、本体ユニット１０Ａの下部に設けられている。係止部２３は、尿バッグ１００Ａに設けられた取付孔１１０Ａに挿通される。
【００９３】
図１５に示されるように、計測装置３Ａは、コンバータ２８と、センサ３０Ｂと、送信部３２と、を備えている。センサ３０Ｂは、投光部３０Ｂａと、受光部３０Ｂｂと、を有している。
【００９４】
図１６に示されるように、２つの投光部３０Ｂａ及び受光部３０Ｂｂは、導尿管１０４Ａを上下方向において挟む位置に対向して配置されている。投光部３０Ｂａと受光部３０Ｂｂとは、保持部２１Ａにおいて、導尿管１０４Ａの上流側と下流側の高さ位置が同じになるように導尿管１０４Ａが保持されている場合には、導尿管１０４Ａの屈曲部を挟む位置に配置されていることが好ましい。投光部３０Ｂａと受光部３０Ｂｂとは、保持部２１Ａにおいて、導尿管１０４Ａの上流側よりも下流側が低くなるように導尿管１０４Ａが保持されている場合には、導尿管１０４Ａの屈曲部よりも上流側の位置に配置されていることが好ましい。投光部３０Ｂａから照射された光は、透過性を有する窓部２７ａを介して導尿管１０４に照射される。導尿管１０４を透過した光は、透過性を有する窓部２７ｂを介して、受光部３０Ｂｂで受光される。受光部３０Ｂｂは、受光した光量に関する光量データをコンバータ２８へ出力する。
【００９５】
以上説明したように、計測装置３Ａは、導尿管１０４Ａの一部を下方に凸状に屈曲させた状態で導尿管１０４Ａを保持する保持部２１Ａを有する。これにより、導尿管１０４Ａの屈曲した部分に尿が溜まる。計測装置３Ａは、屈曲した部分において尿に含まれる血液を検出し、光量データを管理装置５に送信する。このように、計測装置３Ａでは、導尿管１０４Ａを通過する尿に含まれる血液を確実に検出できる。
【００９６】
計測装置３Ａは、ロードセルを備えていてもよい。この場合、ロードセルは、係止部２３に接続されている。ロードセルは、係止部２３に取り付けられた尿バッグ１００Ａの貯留部１０２の重量を検知する。ロードセルは、尿バッグ１００Ａの貯留部１０２Ａの重量を検知し、当該重量に関する計量データをコンバータ２８へ出力する。
【００９７】
上記実施形態に加えて、制御部４４は、導尿管１０４（１０４Ａ）の性質に基づいて、血尿の状態を補正してもよい。具体的には、制御部４４は、導尿管１０４のパラメータ（例えば、色、透過性、厚さ等）に基づいて、光量データが示す電圧値を補正する。これにより、市販されている種々の尿バックにおいて、血尿の状態を精度良く判定できる。
【符号の説明】
【００９８】
１…管理システム、３，３Ａ…計測装置、５…管理装置、７…携帯端末（端末）、１０…本体ユニット、１２…計量ユニット、２０…第１規制部、２１，２１Ａ…保持部、２２…第２規制部、２６…ロードセル（計量部）、２８…コンバータ（計量部）、３０，３０Ａ，３０Ｂ…センサ（検出部）、３０ａ，３０Ａａ，３０Ｂａ…投光部、３０ｂ，３０Ａｂ，３０Ｂｂ…受光部、３２…送信部、４０…受信部、４２…記憶部、４４…制御部（算出部）、４６…表示部、４８…送信部、１００，１００Ａ…尿バッグ、１０２，１０２Ａ…貯留部、１０４，１０４Ａ…導尿管。
【図１】
2018155757.tif 000003
【図２】
2018155757.tif 000004
【図３】
2018155757.tif 000005
【図４】
2018155757.tif 000006
【図５】
2018155757.tif 000007
【図６】
2018155757.tif 000008
【図７】
2018155757.tif 000009
【図８】
2018155757.tif 000010
【図９】
2018155757.tif 000011
【図１０】
2018155757.tif 000012
【図１１】
2018155757.tif 000013
【図１２】
2018155757.tif 000014
【図１３】
2018155757.tif 000015
【図１４】
2018155757.tif 000016
【図１５】
2018155757.tif 000017
【図１６】
2018155757.tif 000018